(57)【要約】【課題】  走行される金属帯の表面に塗料をナイフコーターによって連続して塗布するにあたり、金属帯の継ぎ目部分がナイフコーターに衝突するのを防止し、ナイフコーターの貯留部に貯留された塗料がこぼれ出すのを抑制すると共に、金属帯における塗装不良部分を短くして綺麗な塗工が行えるようにする。【解決手段】  走行される金属帯Tの表面に、ナイフコーター20における貯留部21に貯留された塗料xを供給し、金属帯の表面に供給された塗料の厚みをナイフヘッド22によって調整するにあたり、金属帯の継ぎ目部分Taがナイフコーターの位置に導かれる場合に、塗工位置にあるナイフコーターを貯留部に貯留された塗料が貯留部からこぼれ出ないようにして、前記のナイフヘッドを金属帯の表面から離れる位置に移動させ、金属帯の継ぎ目部分がナイフコーターの位置を通過した後、ナイフコーターとナイフヘッドを塗工位置に戻すようにした。【選択図】  図３
2020015008.tif 000002
【特許請求の範囲】
【請求項１】
走行される帯状体からなる金属帯の表面に、ナイフコーターにおける貯留部に貯留された塗料を供給すると共に、金属帯の表面に供給された塗料の厚みをナイフヘッドによって調整するようにしたナイフコーターの塗工装置において、前記の金属帯の継ぎ目部分がナイフコーターの位置に導かれる場合に、塗工位置にある前記のナイフコーターを貯留部に貯留された塗料が貯留部からこぼれ出さない状態にして、前記のナイフコーターにおけるナイフヘッドを前記の金属帯の表面から離れる位置に移動させ、前記の金属帯の継ぎ目部分がナイフコーターの位置を通過した後、ナイフコーターとナイフヘッドを塗工位置に戻すことを特徴とするナイフコーターの塗工装置。
【請求項２】
請求項１に記載したナイフコーターの塗工装置において、前記の金属帯の継ぎ目部分がナイフコーターの位置に導かれる場合に、前記のナイフコーターにおける貯留部に貯留された塗料が貯留部からこぼれ出さない状態にして、前記のナイフヘッドを前記の金属帯の表面から離れる位置に移動させるにあたり、前記のナイフヘッドと対向する貯留部の面が上に位置するように、貯留部に貯留された塗料が貯留部の上面からこぼれないようにナイフコーターを回動させ、この状態で、前記のナイフコーターにおけるナイフヘッドを前記の金属帯の表面から離れる位置に移動させることを特徴とするナイフコーターの塗工装置。
【請求項３】
請求項１に記載したナイフコーターの塗工装置において、前記の走行される帯状体からなる金属帯を案内するバックアップロールを、前記の金属帯を介して前記のナイフコーターと対向する位置に設け、金属帯の表面に供給された塗料の厚みをバックアップロールとナイフヘッドとによって調整するようにしたナイフコーターにおいて、前記の金属帯の継ぎ目部分がナイフコーターの位置に導かれる場合に、前記のナイフコーターにおける貯留部に貯留された塗料が貯留部からこぼれ出さない状態にして、前記のバックアップロールと一緒にナイフコーターを移動させた後、前記のナイフコーターにおけるナイフヘッドを前記の金属帯の表面から離れる位置に移動させることを特徴とするナイフコーターの塗工装置。
【発明の詳細な説明】
【技術分野】
【０００１】
本発明は、走行される帯状体からなる金属帯の表面に塗料をナイフコーターによって塗布させるようにした場合におけるナイフコーターの塗工装置に関するものである。特に、鋼板等を継ぎ合わせた帯状体からなる金属帯の継ぎ目部分がナイフコーターによって塗料を塗布する位置に導かれた場合に、ナイフヘッドや金属帯の継ぎ目部分が傷つくのを防止するために、ナイフヘッドを金属帯の継ぎ目部分から離れるように移動させた場合にも、ナイフコーターの貯留部に貯留された塗料がナイフコーターからこぼれたりすることなく、金属帯における塗装不良部分を短くして、走行される金属帯の表面に塗料を綺麗に塗布できるようにした点に特徴を有するものである。
【背景技術】
【０００２】
従来から、長尺状の鋼板等を継ぎ合わせた帯状体からなる金属帯を走行させ、この金属帯の表面に塗料を塗布することが行われており、このように走行される帯状体からなる金属帯の表面に塗料を塗布する塗布装置としては、一般にロールコーターが使用されている。
【０００３】
ここで、ロールコーターを用いて走行される金属帯の表面に塗料を塗布する場合、通常、複数のロールを回転させて、各ロールに塗料を移動させて塗布用のロールに導き、この塗布用のロールから塗料を走行する金属帯の表面に塗布するようにしている。
【０００４】
このため、ロールコーターを用いて走行する金属帯の表面に塗料を塗布する場合、複数のロールを回転させるため、設備コストやランニングコストが高くついたり、メンテナンスに要する時間が長くなったり、また金属帯の表面に塗布する塗料の量を調整するため、ロールの回転数や、ロール間のニップ圧力や、ロール間のギャップ等を適切に設定することが必要になって、これらの操作が面倒で熟練を要し、さらにロールの回転時に泡が発生して、塗料の塗布面にむらが生じたりするという問題があった。
【０００５】
このため、走行する金属帯の表面に塗料を塗布するのに、前記のようなロールコーターに代えて、特許文献１に示すように、ナイフコーターを使用することも行われている。
【０００６】
ここで、ナイフコーターを使用して走行する金属帯の表面に塗料を塗布する場合、ロールコーターのように複数のロールを回転させる必要がなく、設備コストやランニングコストが低減され、また金属帯の表面に塗布する塗料の量を調整する場合も、ナイフヘッドと走行する金属帯とのギャップを調整するだけで良く、操作が簡単でメンテナンス等も簡単に行え、さらにロールコーターのように、ロールの回転時に泡が発生して、金属帯における塗料の塗布面にむらが生じるのも防止できるという利点がある。
【０００７】
しかし、このようなナイフコーターを使用して、長尺状の鋼板等を継ぎ合わせた金属帯の表面に塗料を塗布する場合、金属帯の継ぎ目部分がナイフコーターの位置に導かれると、塗料を貯留させていたナイフコーターにおける貯留部の壁やナイフヘッドが、厚くなっている金属帯の継ぎ目部分に衝突して、金属帯の継ぎ目部分やナイフコーターにおける貯留部の壁やナイフヘッドが損傷したりするという問題が生じる。
【０００８】
このため、従来においては、前記のように金属帯の継ぎ目部分がナイフコーターの位置に導かれると、金属帯の継ぎ目部分がナイフコーターにおける貯留部の壁やナイフヘッドに衝突しないように、ナイフコーターを金属帯から離れる方向に移動させるようにしていた。
【０００９】
ここで、前記の貯留部に塗料が貯留された状態で、ナイフコーターを金属帯から離れる方向に移動させると、貯留部に貯留されていた塗料が金属帯の上や貯留部の下部にこぼれ出して、金属帯や周辺部分等が塗料で汚れるため、貯留部に貯留されている塗料を抜き出した後、ナイフコーターを金属帯から離れる方向に移動させ、金属帯の継ぎ目部分がナイフコーターの位置を通過した後に、ナイフコーターを元の位置に戻し、その後、前記の貯留部に塗料を再度貯留させるようにしていた。
【００１０】
しかし、金属帯の継ぎ目部分がナイフコーターの位置に導かれる場合に、その都度、貯留部に貯留されている塗料を抜き出した後、ナイフコーターを金属帯から離れる方向に移動させ、金属帯の継ぎ目部分がナイフコーターの位置を通過した後に、ナイフコーターを元の位置に戻し、前記の貯留部に塗料を再度貯留させることは非常に面倒で時間を要し、金属帯の表面に塗料を塗布する効率が非常に低下すると共に、金属帯における塗装不良部が長くなるという問題があった。
【先行技術文献】
【特許文献】
【００１１】
【特許文献１】実開昭５１−９７５６２号公報
【発明の開示】
【発明が解決しようとする課題】
【００１２】
本発明は、走行される帯状体からなる金属帯の表面に塗料をナイフコーターによって塗布させる場合における前記のような問題を解決することを課題とするものである。
【００１３】
すなわち、本発明においては、前記のように走行される帯状体からなる金属帯の表面に塗料をナイフコーターによって塗布させるにあたり、金属帯の継ぎ目部分がナイフコーターの位置に導かれた場合に、ナイフコーターにおける貯留部の壁やナイフヘッドが金属帯の継ぎ目部分に衝突するのを防止するように、ナイフコーターを金属帯から離れる方向に移動させる際に、ナイフコーターの貯留部に貯留されている塗料を抜き出したりしなくても、ナイフコーターの貯留部に貯留された塗料がナイフコーターからこぼれ出したりすることがなく、金属帯における塗装不良部分を短くして、走行される金属帯の表面に塗料を綺麗に塗布できるようにすることを課題とするものである。
【課題を解決するための手段】
【００１４】
本発明に係るナイフコーターの塗工装置においては、前記のような課題を解決するため、走行される帯状体からなる金属帯の表面に、ナイフコーターにおける貯留部に貯留された塗料を供給すると共に、金属帯の表面に供給された塗料の厚みをナイフヘッドによって調整するようにしたナイフコーターの塗工装置において、前記の金属帯の継ぎ目部分がナイフコーターの位置に導かれる場合に、塗工位置にある前記のナイフコーターを貯留部に貯留された塗料が貯留部からこぼれ出さない状態にして、前記のナイフコーターにおけるナイフヘッドを前記の金属帯の表面から離れる位置に移動させ、前記の金属帯の継ぎ目部分がナイフコーターの位置を通過した後、ナイフコーターとナイフヘッドを塗工位置に戻すようにした。
【００１５】
本発明におけるナイフコーターの塗工装置のように、金属帯の継ぎ目部分がナイフコーターの位置に導かれる場合に、ナイフコーターを前記の貯留部に貯留された塗料が貯留部からこぼれ出さない状態にして、前記のナイフヘッドを前記の金属帯の表面から離れる位置に移動させるようにすると、貯留部に貯留されていた塗料が流れ出すのを防止するために、従来のように、貯留部に貯留されている塗料を抜き出した後、ナイフコーターを金属帯から離れる方向に移動させる必要がなくなる。また、前記のように金属帯の継ぎ目部分がナイフコーターの位置を通過した後、ナイフコーターとナイフヘッドを塗工位置に戻すようにすると、従来のように、金属帯の継ぎ目部分がナイフコーターの位置を通過した後に、ナイフコーターを元の位置に戻し、前記の貯留部に塗料を再度貯留させる操作を行う必要もなくなる。
【００１６】
また、本発明におけるナイフコーターの塗工装置において、金属帯の継ぎ目部分がナイフコーターの位置に導かれる場合に、前記のナイフコーターにおける貯留部に貯留された塗料が貯留部からこぼれ出さない状態にして、前記のナイフヘッドを前記の金属帯の表面から離れる位置に移動させるにあたっては、前記のナイフヘッドと対向する貯留部の面が上に位置するように、貯留部に貯留された塗料が貯留部の上面からこぼれないようにナイフコーターを回動させ、この状態で、前記のナイフヘッドを前記の金属帯の表面から離れる位置にナイフコーターを移動させるようにすることができる。
【００１７】
また、本発明におけるナイフコーターの塗工装置において、走行される帯状体からなる金属帯を案内するバックアップロールを、前記の金属帯を介して前記のナイフコーターと対向する位置に設け、金属帯の表面に供給された塗料の厚みをバックアップロールとナイフヘッドとによって調整するようにしたナイフコーターにおいて、前記の金属帯の継ぎ目部分がナイフコーターの位置に導かれる場合に、前記のナイフコーターにおける貯留部に貯留された塗料が貯留部からこぼれ出さない状態にして、前記のバックアップロールと一緒にナイフコーターを移動させた後、前記のナイフヘッドを前記の金属帯の表面から離れる位置に移動させるようにすることができる。
【発明の効果】
【００１８】
本発明においては、走行される帯状体からなる金属帯の表面に、ナイフコーターの貯留部に貯留された塗料を供給すると共に、金属帯の表面に供給された塗料の厚みをナイフヘッドによって調整するようにしたナイフコーターにおいて、金属帯の継ぎ目部分がナイフコーターの位置に導かれる場合に、前記のようにナイフコーターにおける貯留部に貯留された塗料が貯留部からこぼれ出さない状態にして、ナイフヘッドを前記の金属帯の表面から離れる位置に移動させるようにしたため、貯留部に貯留されていた塗料が流れ出すのを防止するため、従来のように、貯留部に貯留されている塗料を抜き出した後、ナイフコーターを金属帯から離れる方向に移動させる必要がなく、また、前記のように金属帯の継ぎ目部分がナイフコーターの位置を通過した後、ナイフコーターを塗工位置に戻すようにすると、従来のように、金属帯の継ぎ目部分がナイフコーターの位置を通過した後に、ナイフコーターを塗工位置に戻し、前記の貯留部に塗料を再度貯留させる操作を行う必要もなくなる。
【００１９】
この結果、本発明に係るナイフコーターの塗工装置においては、走行される帯状体からなる金属帯の表面にナイフコーターによって塗料を塗布させるにあたり、金属帯の継ぎ目部分がナイフコーターの位置に導かれる場合に、ナイフコーターにおける貯留部の壁やナイフヘッドが金属帯の継ぎ目部分に衝突するのを防止するために、ナイフコーターを金属帯から離れる方向に移動させる際に、ナイフコーターの貯留部に貯留されている塗料を抜き出したりしなくても、ナイフコーターの貯留部に貯留された塗料がナイフコーターからこぼれ出したりすることがなく、また金属帯の継ぎ目部分がナイフコーターの位置を通過した後に、ナイフコーターを塗工位置に戻し、前記の貯留部に塗料を再度貯留させる操作を行う必要もなく、金属帯における塗装不良部分を短くして、走行される金属帯の表面に塗料を綺麗に塗布できるようになる。
【図面の簡単な説明】
【００２０】
【図１】本発明の一実施形態に係るナイフコーターの塗工装置において、ナイフコーターがバックアップロールと対向する位置において、走行される帯状体からなる金属帯の表面に貯留部に貯留された塗料を供給すると共に、金属帯の表面に供給された塗料の厚みをナイフヘッドによって調整する状態を示した概略説明図である。
【図２】前記の実施形態に係るナイフコーターの塗工装置において、金属帯を連続して走行させるため、金属帯相互を継ぎ合わせる一例として、金属帯相互を所定長さ重ねるようにして接合（溶接など）した状態を示した概略説明図である。
【図３】前記の実施形態に係るナイフコーターの塗工装置において、金属帯の継ぎ目部分がナイフコーターに導かれる前に、ナイフコーターにおけるナイフヘッドを金属帯の表面から離れる位置に移動させた後、塗工位置に戻す工程を示し、（Ａ）は金属帯の継ぎ目部分がナイフコーターに導かれる前に、前記のナイフヘッドと対向する貯留部の面が上に位置するように、貯留部に貯留された塗料が貯留部の上面からこぼれないようにナイフコーターを回動させた状態を示した概略説明図、（Ｂ）は貯留部に貯留された塗料が貯留部の上面からこぼれないようにナイフコーターを回動させた状態で、前記のナイフヘッドを前記の金属帯の表面から離れる位置に移動させた状態を示した概略説明図、（Ｃ）は金属帯の継ぎ目部分がナイフコーターによって塗料を塗布する位置を通過した後、ナイフコーターとナイフヘッドを塗工位置に戻した状態を示した概略説明図である。
【図４】前記の実施形態に係るナイフコーターの塗工装置の変更例において、ナイフコーターがバックアップロールと対向する位置において、走行される帯状体からなる金属帯の表面に貯留部に貯留された塗料を供給すると共に、金属帯の表面に供給された塗料の厚みをバックアップロールとナイフヘッドとによって調整する状態を示した概略説明図である。
【図５】前記の変更例に係るナイフコーターの塗工装置において、金属帯の継ぎ目部分がナイフコーターに導かれる前に、ナイフコーターにおけるナイフヘッドを金属帯の表面から離れる位置に移動させる状態を示し、金属帯の継ぎ目部分がナイフコーターに導かれる前に、前記のナイフコーターを前記の貯留部に貯留された塗料が貯留部からこぼれ出さない状態にして、前記のバックアップロールと一緒にナイフコーターを移動させ、その後、前記のナイフコーターにおけるナイフヘッドを前記の金属帯の表面から離れる位置に移動させる状態を示した概略説明図である。
【発明を実施するための最良の形態】
【００２１】
以下、本発明の実施形態に係るナイフコーターの塗工装置を添付図面に基づいて具体的に説明する。なお、本発明におけるナイフコーターの塗工装置は、下記の実施形態に示したものに限定されず、発明の要旨を変更しない範囲において、適宜変更して実施できるものである。
【００２２】
この実施形態におけるナイフコーターの塗工装置においては、図１に示すように、帯状体からなる金属帯Ｔをバックアップロール１０に巻き掛けるようにして走行させると共に、この金属帯Ｔを介して前記のバックアップロール１０と対向する位置にナイフコーター２０を設けている。
【００２３】
そして、このナイフコーター２０においては、塗料ｘを貯留させた貯留部２１よりも金属帯Ｔの走行方向下流側の位置に、ナイフヘッド２２をバックアップロール１０の外周に沿って走行する前記の金属帯Ｔの表面と所定の間隔を介するようにして前記の貯留部２１と一体的に設け、このナイフヘッド２２の先端と金属帯Ｔの隙間を通して、前記の貯留部２１から金属帯Ｔの表面に供給された塗料ｘを所定の厚みに塗布させながら、塗料ｘが塗布された金属帯Ｔをバックアップロール１０から次の位置に走行させるようにしている。
【００２４】
ここで、この実施形態においては、前記のナイフコーター２０を保持させるコーター保持部材１２を、前記のバックアップロール１０の中心軸１１から半径方向外方に延出させるようにして回動及び固定可能に設けると共に、このコーター保持部材１２に、前記のナイフコーター２０をバックアップロール１０に対して近接・離間させるように移動させるシリンダー等の移動装置１３を設けている。
【００２５】
また、この実施形態における塗工装置において、前記の金属帯Ｔを連続して走行させ、前記のようにナイフコーター２０における貯留部２１から金属帯Ｔの表面に供給された塗料ｘをナイフヘッド２２によって所定の厚みに塗布させて金属帯Ｔを連続塗工させる場合、連続走行させる金属帯Ｔを長くするため、図２に示すように、金属帯Ｔを継ぎ合わせるようにしており、この場合、金属帯Ｔ相互を継ぎ合わせた継ぎ目部分は、例えば、図中にＴａで示すように金属帯Ｔ相互重ね合わせて溶接したり、カシメ（図示せず）をつけたりして継ぎ合わせるため、その厚みが大きくなる。
【００２６】
そして、このように金属帯Ｔ相互が継ぎ合わされた継ぎ目部分Ｔａが、金属帯Ｔの表面に塗料ｘを塗布させるナイフコーター２０の位置に導かれると、走行される金属帯Ｔとの間隔が狭くなった金属帯Ｔに近接する貯留部２１の壁の端部２１ａや、金属帯Ｔの表面に供給された塗料ｘを所定の厚みに塗布させるナイフヘッド２２の部分に、厚みが大きくなった金属帯Ｔの継ぎ目部分Ｔａが当たって、ナイフコーター２０や金属帯Ｔに損傷が生じるようになる。
【００２７】
このため、この実施形態における塗工装置において、前記のように金属帯Ｔ相互の継ぎ目部分Ｔａがナイフコーター２０の位置に導かれる前に、走行される金属帯Ｔにおける前記の継ぎ目部分Ｔａを継ぎ目検知装置（図示せず）によって検知し、このように金属帯Ｔにおける継ぎ目部分Ｔａが通過する前に、図３（Ａ）に示すように、バックアップロール１０の中心軸１１から半径方向外方に延出するように設けた前記のコーター保持部材１２を下方に向けて回動させ、これに伴って、前記のナイフコーター２０における貯留部２１に貯留された塗料ｘが貯留部２１からこぼれ出さないように、塗料ｘの上面を前記の貯留部２１に収容された状態で前記のナイフヘッド２２と対向させるようにする。
【００２８】
また、前記の貯留部２１には背板２１ｂが設けられているため、コーター保持部材１２が下方に向けて回動して傾いても、塗料ｘは貯留部２１からこぼれ出さないようになっている。
【００２９】
そして、このように前記のように貯留部２１に貯留された塗料ｘが貯留部２１からこぼれ出さないようにした状態で、図３（Ｂ）に示すように、前記の移動装置１３によりナイフコーター２０をバックアップロール１０から離れる方向に移動させて、ナイフコーター２０における貯留部２１の壁やナイフヘッド２２を前記の金属帯Ｔの厚みが厚くなった継ぎ目部分Ｔａと接触しない位置に離れるように移動させ、この状態で、金属帯Ｔの継ぎ目部分Ｔａがナイフコーター２０の部分を通過するようにして、金属帯Ｔを走行させる。
【００３０】
ここで、前記のように移動装置１３によりナイフコーター２０をバックアップロール１０から離れる方向に移動させた場合においても、前記のようにナイフコーター２０における貯留部２１に貯留された塗料ｘが、前記の背板２１ｂによって貯留部２１からこぼれ出さない状態になっているため、貯留部２１に貯留された塗料ｘが、ナイフコーター２０から流出するということがなく、従来のように、ナイフコーター２０の貯留部２１に貯留されている塗料ｘを抜き出したりしなくても、ナイフコーター２０の貯留部２１に貯留された塗料ｘがナイフコーター２０からこぼれ出したりすることがない。
【００３１】
また、前記の金属帯Ｔの継ぎ目部分Ｔａがナイフコーター２０の位置を通過した後は、図３（Ｃ）に示すように、前記のようにバックアップロール１０から離れる方向に移動された前記のナイフコーター２０を、前記の移動装置１３により貯留部２１の壁やナイフヘッド２２を継ぎ目部分Ｔａが通過した後の金属帯Ｔに近づける方向に移動させて塗工位置に戻した後、下方に向けて回動された状態にある前記のコーター保持部材１２を上方に向けて回動させて戻し、ナイフコーター２０を塗工位置に戻した状態にする。
【００３２】
なお、ここでいう塗工位置とは、ナイフコーター２０とナイフヘッド２２によって金属帯Ｔの表面に塗料ｘを塗布できる位置であればよく、金属帯Ｔの継ぎ目部分Ｔａが通過する前に対し、通過した後で、ナイフコーター２０が回動した位置や、ナイフヘッド２２が移動した位置が異なっていてもよい。具体的には継ぎ目部分Ｔａの前後の金属帯Ｔが同じ条件（板厚や塗布厚等が同じ）であれば、同じ位置に戻せば良いが、条件が異なれば、継ぎ目部分Ｔａの後の金属帯Ｔの条件に合わせて、継ぎ目部分Ｔａが通過した後のナイフヘッド２２の移動位置を変更させるようにする。
【００３３】
そして、前記のように走行する金属帯Ｔの表面にナイフコーター２０における前記の貯留部２１から塗料ｘを供給し、このように供給された塗料ｘを、前記のようにナイフヘッド２２によって走行する金属帯Ｔの表面に所定の厚みに塗布させて、金属帯Ｔに塗料ｘを連続塗工させるようにする。
【００３４】
また、前記のように金属帯Ｔ相互の継ぎ目部分Ｔａがナイフコーター２０の位置に導かれることが検知されると、前記のような操作を行い、塗布を中断し、継ぎ目部分Ｔａを回避した後、走行される帯状体からなる金属帯Ｔの表面にナイフコーター２０によって塗料ｘを再び連続して塗布させるようにする。
【００３５】
このようにすると、金属帯Ｔ相互の継ぎ目部分Ｔａがナイフコーター２０の位置に導かれる場合に、ナイフコーター２０における貯留部２１の壁やナイフヘッド２２が金属帯Ｔの継ぎ目部分Ｔａに衝突するのを適切に防止することができると共に、ナイフコーター２０を金属帯Ｔから離れる方向に移動させる際に、従来のように、ナイフコーター２０の貯留部２１に貯留されている塗料ｘを抜き出したり、金属帯Ｔの継ぎ目部分Ｔａがナイフコーター２０の部分を通過した後、貯留部２１に塗料ｘを再度貯留させたりするという作業を行わなくても、ナイフコーター２０の貯留部２１に貯留されている塗料ｘがナイフコーター２０からこぼれ出したりすることがなく、走行される金属帯Ｔにおける塗装不良部分を短くして、金属帯Ｔの表面に綺麗に塗料ｘを塗布できるようになる。
【００３６】
ここで、前記の実施形態においては、前記のようにバックアップロール１０の中心軸１１から半径方向外方に延出するように設けたコーター保持部材１２を上下方向に回動できるようにすると共に、このコーター保持部材１２に、前記のナイフコーター２０をバックアップロール１０に対して近接・離間させるように移動させる移動装置１３を設け、金属帯Ｔ相互が継ぎ合わされた継ぎ目部分Ｔａが、金属帯Ｔの表面に塗料ｘを塗布させるナイフコーター２０の位置に導かれる場合に、前記のコーター保持部材１２を下方に回動させて、ナイフコーター２０における貯留部２１に貯留された塗料ｘが貯留部２１からこぼれ出さないようにし、前記の移動装置１３によりナイフヘッド２２をバックアップロール１０の外周に沿って走行される金属帯Ｔから離間させるようにしたが、金属帯Ｔ相互が継ぎ合わされた継ぎ目部分Ｔａが、金属帯Ｔの表面に塗料ｘを塗布させるナイフコーター２０の部分に導かれる場合に、ナイフコーター２０における貯留部２１に貯留された塗料ｘが貯留部２１からこぼれ出さないようにして、ナイフヘッド２２をバックアップロール１０の外周に沿って走行される金属帯Ｔから離間させる方法は、特に前記のような方法に限定されない。
【００３７】
例えば、図４及び図５に示す変更例の塗工装置のように構成することもできる。
【００３８】
ここで、図４及び図５に示す変更例の塗工装置においては、走行される金属帯Ｔを第１搬送ロール３１からバックアップロール１０に導き、このようにバックアップロール１０に導かれた金属帯Ｔの表面に、前記の実施形態の場合と同様にして、ナイフコーター２０によって塗料ｘを所定の厚みに塗布させるようにし、このように塗料ｘが塗布された金属帯Ｔをバックアップロール１０から第２搬送ロール３２に走行させて、金属帯Ｔの表面に塗料ｘを連続して塗工させるようにしている。
【００３９】
また、この変更例の塗工装置においては、前記のナイフコーター２０を保持させる前記の実施形態におけるコーター保持部材１２を、バックアップロール１０の中心軸１１から半径方向外方に延出させるようにして固定して設けると共に、このコーター保持部材１２に、前記のナイフコーター２０をバックアップロール１０に対して近接・離間させるように移動させるシリンダー等の移動装置１３を設けている。
【００４０】
そして、この変更例の塗工装置においては、図４及び図５に示すように、前記のバックアップロール１０を、回動支点Ｏを中心にして上下方向に回動及び固定可能に設け、走行される金属帯Ｔを第１搬送ロール３１からバックアップロール１０に導いて、ナイフコーター２０によりこの金属帯Ｔの表面に塗料ｘを所定の厚みに塗布させる場合には、前記のバックアップロール１０を、回動支点Ｏを中心にして上方に回動させた状態で固定させ、前記のようにナイフコーター２０における貯留部２１から走行される金属帯Ｔの表面に塗料ｘを供給し、このように供給された塗料ｘをナイフヘッド２２によって所定の厚みに塗布させて金属帯Ｔを連続塗工させるようにしている。
【００４１】
ここで、この変更例における塗工装置において、前記の実施形態に示す場合と同様に、前記の金属帯Ｔ相互が継ぎ合わされた継ぎ目部分Ｔａが、金属帯Ｔの表面に塗料ｘを塗布させるナイフコーター２０の部分に導かれると、走行される金属帯Ｔとの間隔が狭くなった金属帯Ｔに近接する貯留部２１の端部や、金属帯Ｔの表面に供給された塗料ｘを所定の厚みに塗布させるナイフヘッド２２の部分に、厚みが大きくなった金属帯Ｔの継ぎ目部分Ｔａが当たり、ナイフコーター２０や金属帯Ｔに損傷が生じるようになる。
【００４２】
このため、この変更例における塗工装置においては、前記のように金属帯Ｔ相互の継ぎ目部分Ｔａがナイフコーター２０の位置に導かれる前に、走行される金属帯Ｔにおける前記の継ぎ目部分Ｔａを継ぎ目検知装置（図示せず）によって検知し、このように金属帯Ｔにおける継ぎ目部分Ｔａが検知された場合には、図５に示すように、前記のバックアップロール１０を、前記の回動支点Ｏを中心にして下方に回動させ、これに伴ってバックアップロール１０の中心軸１１から半径方向外方に延出された前記のコーター保持部材１２を下方に向けて回動させて固定させ、前記のナイフコーター２０における貯留部２１に貯留された塗料ｘが貯留部２１からこぼれ出さないように、前記の実施形態と同様に、塗料ｘの上面を前記の貯留部２１に収容された状態で前記のナイフヘッド２２と対向させるようにする。
【００４３】
そして、このように貯留部２１に貯留された塗料ｘが貯留部２１からこぼれ出さないようにした状態で、前記の移動装置１３によりナイフコーター２０をバックアップロール１０から離れる方向に移動させて、ナイフコーター２０における貯留部２１の壁やナイフヘッド２２を前記の金属帯Ｔの厚みが厚くなった継ぎ目部分Ｔａと接触しない位置に離れるように移動させ、この状態で、金属帯Ｔの継ぎ目部分Ｔａがナイフコーター２０の部分を通過するようにして、金属帯Ｔを走行させる。なお、このように移動装置１３によりナイフコーター２０をバックアップロール１０から離れる方向に移動させた場合においても、前記のようにナイフコーター２０における貯留部２１に貯留された塗料ｘが貯留部２１からこぼれ出さない状態になっているため、前記の実施形態の場合と同様に、貯留部２１に貯留された塗料ｘが、ナイフコーター２０から流出するということがない。
【００４４】
また、前記のように金属帯Ｔの継ぎ目部分Ｔａがナイフコーター２０の位置を通過した後は、前記のようにバックアップロール１０から離れる方向に移動された前記のナイフコーター２０を、前記の移動装置１３によって貯留部２１の壁やナイフヘッド２２を継ぎ目部分Ｔａが通過した後の金属帯Ｔに近づける位置に移動させて塗工位置に戻した後、回動支点Ｏを中心にして下方に回動された状態にある前記のバックアップロール１０及びバックアップロール１０の中心軸１１から半径方向外方に延出された前記のコーター保持部材１２を、回動支点Ｏを中心にして上方に向けて回動させて固定させ、前記のナイフコーター２０を元の位置に戻した状態にする。
【００４５】
そして、前記のように走行する金属帯Ｔの表面にナイフコーター２０における前記の貯留部２１から塗料ｘを供給し、このように供給された塗料ｘを、前記のようにナイフヘッド２２によって走行する金属帯Ｔの表面に所定の厚みに塗布させて、金属帯Ｔに塗料ｘを連続塗工させるようにする。
【００４６】
また、前記のように金属帯Ｔ相互の継ぎ目部分Ｔａがナイフコーター２０の位置に導かれることが検知されると、前記のような操作を行い、塗布を中断し、継ぎ目部分Ｔａを回避した後、走行される帯状体からなる金属帯Ｔの表面にナイフコーター２０によって塗料ｘを再び連続して塗布させるようにする。
【００４７】
このようにすると、この変更例の塗工装置においても、前記の実施形態の塗工装置と同様に、金属帯Ｔ相互の継ぎ目部分Ｔａがナイフコーター２０の位置に導かれる場合に、ナイフコーター２０における貯留部２１の壁やナイフヘッド２２が金属帯Ｔの継ぎ目部分Ｔａに衝突するのを適切に防止することができると共に、ナイフコーター２０を金属帯Ｔから離れる方向に移動させる際に、従来のように、ナイフコーター２０の貯留部２１に貯留されている塗料ｘを抜き出したり、金属帯Ｔの継ぎ目部分Ｔａがナイフコーター２０の部分を通過した後、貯留部２１に塗料ｘを再度貯留させたりするという作業を行わなくても、ナイフコーター２０の貯留部２１に貯留されている塗料ｘがナイフコーター２０からこぼれ出したりすることがなく、走行される金属帯Ｔにおける塗装不良部分を短くして、金属帯Ｔの表面に綺麗に塗料ｘを塗布できるようになる。
【符号の説明】
【００４８】
１０  ：バックアップロール
１１  ：中心軸
１２  ：コーター保持部材
１３  ：移動装置
２０  ：ナイフコーター
２１  ：貯留部
２１ａ：端部（壁）
２１ｂ：背板
２２  ：ナイフヘッド
３１  ：第１搬送ロール
３２  ：第２搬送ロール
Ｏ    ：回動支点
Ｔ    ：金属帯
Ｔａ  ：継ぎ目部分
ｘ    ：塗料
【図１】
2020015008.tif 000003
【図２】
2020015008.tif 000004
【図３】
2020015008.tif 000005
【図４】
2020015008.tif 000006
【図５】
2020015008.tif 000007
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
走行される帯状体からなる金属帯の表面に、ナイフコーターにおける貯留部に貯留された塗料を供給すると共に、金属帯の表面に供給された塗料の厚みをナイフヘッドによって調整するようにしたナイフコーターの塗工装置において、前記の金属帯の継ぎ目部分がナイフコーターの位置に導かれる場合に、塗工位置にある前記のナイフコーターを貯留部に貯留された塗料が貯留部からこぼれ出さない状態にして、前記のナイフコーターにおけるナイフヘッドを前記の金属帯の表面から離れる位置に移動させるにあたり、前記のナイフヘッドと対向する貯留部の面が上に位置するように、貯留部に貯留された塗料が貯留部の上面からこぼれないようにナイフコーターを回動させ、この状態で、前記のナイフコーターにおけるナイフヘッドを前記の金属帯の表面から離れる位置に移動させ、前記の金属帯の継ぎ目部分がナイフコーターの位置を通過した後、ナイフコーターとナイフヘッドを塗工位置に戻すことを特徴とするナイフコーターの塗工装置。
【請求項２】
走行される帯状体からなる金属帯の表面に、ナイフコーターにおける貯留部に貯留された塗料を供給すると共に、金属帯の表面に供給された塗料の厚みをナイフヘッドによって調整するようにしたナイフコーターの塗工装置において、前記の走行される帯状体からなる金属帯を案内するバックアップロールを、前記の金属帯を介して前記のナイフコーターと対向する位置に設け、金属帯の表面に供給された塗料の厚みをバックアップロールとナイフヘッドとによって調整するようにしたナイフコーターにおいて、前記の金属帯の継ぎ目部分がナイフコーターの位置に導かれる場合に、前記のナイフコーターにおける貯留部に貯留された塗料が貯留部からこぼれ出さない状態にして、前記のバックアップロールと一緒にナイフコーターを移動させた後、前記のナイフコーターにおけるナイフヘッドを前記の金属帯の表面から離れる位置に移動させ、前記の金属帯の継ぎ目部分がナイフコーターの位置を通過した後、前記のバックアップロールと一緒にナイフコーターとナイフヘッドを塗工位置に戻すことを特徴とするナイフコーターの塗工装置。
【手続補正２】
【補正対象書類名】明細書
【補正対象項目名】００１４
【補正方法】変更
【補正の内容】
【００１４】
本発明に係る第１のナイフコーターの塗工装置においては、前記のような課題を解決するため、走行される帯状体からなる金属帯の表面に、ナイフコーターにおける貯留部に貯留された塗料を供給すると共に、金属帯の表面に供給された塗料の厚みをナイフヘッドによって調整するようにしたナイフコーターの塗工装置において、前記の金属帯の継ぎ目部分がナイフコーターの位置に導かれる場合に、塗工位置にある前記のナイフコーターを貯留部に貯留された塗料が貯留部からこぼれ出さない状態にして、前記のナイフコーターにおけるナイフヘッドを前記の金属帯の表面から離れる位置に移動させるにあたり、前記のナイフヘッドと対向する貯留部の面が上に位置するように、貯留部に貯留された塗料が貯留部の上面からこぼれないようにナイフコーターを回動させ、この状態で、前記のナイフコーターにおけるナイフヘッドを前記の金属帯の表面から離れる位置に移動させ、前記の金属帯の継ぎ目部分がナイフコーターの位置を通過した後、ナイフコーターとナイフヘッドを塗工位置に戻すようにした。
【手続補正３】
【補正対象書類名】明細書
【補正対象項目名】００１５
【補正方法】変更
【補正の内容】
【００１５】
本発明における第１のナイフコーターの塗工装置のように、金属帯の継ぎ目部分がナイフコーターの位置に導かれる場合に、ナイフコーターを前記の貯留部に貯留された塗料が貯留部からこぼれ出さない状態にして、前記のナイフヘッドを前記の金属帯の表面から離れる位置に移動させるにあたって、前記のナイフヘッドと対向する貯留部の面が上に位置するように、貯留部に貯留された塗料が貯留部の上面からこぼれないようにナイフコーターを回動させ、この状態で、前記のナイフヘッドを前記の金属帯の表面から離れる位置にナイフコーターを移動させるようにすると、貯留部に貯留されていた塗料が流れ出すのを防止するために、従来のように、貯留部に貯留されている塗料を抜き出した後、ナイフコーターを金属帯から離れる方向に移動させる必要がなくなる。また、前記のように金属帯の継ぎ目部分がナイフコーターの位置を通過した後、ナイフコーターとナイフヘッドを塗工位置に戻すようにすると、従来のように、金属帯の継ぎ目部分がナイフコーターの位置を通過した後に、ナイフコーターを元の位置に戻し、前記の貯留部に塗料を再度貯留させる操作を行う必要もなくなる。
【手続補正４】
【補正対象書類名】明細書
【補正対象項目名】００１６
【補正方法】変更
【補正の内容】
【００１６】
また、本発明における第２のナイフコーターの塗工装置においては、走行される帯状体からなる金属帯の表面に、ナイフコーターにおける貯留部に貯留された塗料を供給すると共に、金属帯の表面に供給された塗料の厚みをナイフヘッドによって調整するようにしたナイフコーターの塗工装置において、前記の走行される帯状体からなる金属帯を案内するバックアップロールを、前記の金属帯を介して前記のナイフコーターと対向する位置に設け、金属帯の表面に供給された塗料の厚みをバックアップロールとナイフヘッドとによって調整するようにしたナイフコーターにおいて、前記の金属帯の継ぎ目部分がナイフコーターの位置に導かれる場合に、前記のナイフコーターにおける貯留部に貯留された塗料が貯留部からこぼれ出さない状態にして、前記のバックアップロールと一緒にナイフコーターを移動させた後、前記のナイフコーターにおけるナイフヘッドを前記の金属帯の表面から離れる位置に移動させ、前記の金属帯の継ぎ目部分がナイフコーターの位置を通過した後、前記のバックアップロールと一緒にナイフコーターとナイフヘッドを塗工位置に戻すようにした。
【手続補正５】
【補正対象書類名】明細書
【補正対象項目名】００１７
【補正方法】変更
【補正の内容】
【００１７】
そして、本発明における第２のナイフコーターの塗工装置においても、前記の金属帯の継ぎ目部分がナイフコーターの位置に導かれる場合に、前記のナイフコーターにおける貯留部に貯留された塗料が貯留部からこぼれ出さない状態にして、前記のバックアップロールと一緒にナイフコーターを移動させた後、前記のナイフヘッドを前記の金属帯の表面から離れる位置に移動させるようにすると、第１のナイフコーターの塗工装置と同様に、貯留部に貯留されていた塗料が流れ出すのを防止するために、従来のように、貯留部に貯留されている塗料を抜き出した後、ナイフコーターを金属帯から離れる方向に移動させる必要がなくなり、また、前記の金属帯の継ぎ目部分がナイフコーターの位置を通過した後、前記のバックアップロールと一緒にナイフコーターとナイフヘッドを塗工位置に戻すようにすると、従来のように、金属帯の継ぎ目部分がナイフコーターの位置を通過した後に、ナイフコーターを元の位置に戻し、前記の貯留部に塗料を再度貯留させる操作を行う必要もなくなる。
【手続補正６】
【補正対象書類名】明細書
【補正対象項目名】００１８
【補正方法】変更
【補正の内容】
【００１８】
本発明における第１及び第２のナイフコーターの塗工装置においては、走行される帯状体からなる金属帯の表面に、ナイフコーターの貯留部に貯留された塗料を供給すると共に、金属帯の表面に供給された塗料の厚みをナイフヘッドによって調整するようにしたナイフコーターにおいて、金属帯の継ぎ目部分がナイフコーターの位置に導かれる場合に、前記のようにナイフコーターにおける貯留部に貯留された塗料が貯留部からこぼれ出さない状態にして、ナイフヘッドを前記の金属帯の表面から離れる位置に移動させるようにしたため、貯留部に貯留されていた塗料が流れ出すのを防止するため、従来のように、貯留部に貯留されている塗料を抜き出した後、ナイフコーターを金属帯から離れる方向に移動させる必要がなく、また、前記のように金属帯の継ぎ目部分がナイフコーターの位置を通過した後、ナイフコーターを塗工位置に戻すようにすると、従来のように、金属帯の継ぎ目部分がナイフコーターの位置を通過した後に、ナイフコーターを塗工位置に戻し、前記の貯留部に塗料を再度貯留させる操作を行う必要もなくなる。
【手続補正７】
【補正対象書類名】明細書
【補正対象項目名】００１９
【補正方法】変更
【補正の内容】
【００１９】
この結果、本発明に係る第１及び第２のナイフコーターの塗工装置においては、走行される帯状体からなる金属帯の表面にナイフコーターによって塗料を塗布させるにあたり、金属帯の継ぎ目部分がナイフコーターの位置に導かれる場合に、ナイフコーターにおける貯留部の壁やナイフヘッドが金属帯の継ぎ目部分に衝突するのを防止するために、ナイフコーターを金属帯から離れる方向に移動させる際に、ナイフコーターの貯留部に貯留されている塗料を抜き出したりしなくても、ナイフコーターの貯留部に貯留された塗料がナイフコーターからこぼれ出したりすることがなく、また金属帯の継ぎ目部分がナイフコーターの位置を通過した後に、ナイフコーターを塗工位置に戻し、前記の貯留部に塗料を再度貯留させる操作を行う必要もなく、金属帯における塗装不良部分を短くして、走行される金属帯の表面に塗料を綺麗に塗布できるようになる。